(57)【要約】      （修正有）【課題】遮蔽部材が水平状態に円滑に昇降すべくコードを円滑に滑り移動可能に操作するブラインドを提供する。【解決手段】制御装置４は遮蔽部材３３の昇降を制御するように第１のレール３１に取り付けられ、２本のコード４２が巻き取られるように付勢する制御ユニット４１とを有し、各コード４２は第１のレール３１と遮蔽部材３３を通して第２のレールに連結されている引き部分４２１を有する。案内装置５は第１のレール３１の両端側に設けられ、それぞれが、対応するコード４２の引き部分４２１が巻き取られるガイドローラーユニットと、制御装置４及びガイドローラーユニットの間に設けられ、引き部分４２１をガイドローラーユニット側に導くガイドロッド５２とを有する。【選択図】図３
2014152603.tif 000002
【特許請求の範囲】
【請求項１】
互いに離れると共にそれぞれの横幅に沿う方向である左右方向に平行に配置され、それぞれが前記左右方向に沿って長く延伸されている第１のレールと第２のレールと、
前記左右方向と直角である上下方向に重なったり一面に展開するように昇降するよう前記第１のレールと前記第２のレールとの間に配置されている遮蔽部材と、
前記遮蔽部材の昇降を制御するように前記第１のレールに取り付けられている制御装置であって、２本のコードと前記コードが巻き取られるように付勢する制御ユニットとを有し、各前記コードは前記第１のレールと前記遮蔽部材を通して前記第２のレールに連結されている引き部分を有する少なくとも１つの制御装置と、
前記第１のレールに２つ設けられており、それぞれ、対応する前記コードの引き部分が巻き取られるガイドローラーユニットと、前記制御装置及び前記ガイドローラーユニットの間に設けられ、前記制御装置からの前記引き部分を前記ガイドローラーユニット側に導くガイドロッドとを有する２つの案内装置と、
を備えていることを特徴とするブラインド。
【請求項２】
前記制御装置は少なくとも２つ設けられていることを特徴とする請求項１に記載のブラインド。
【請求項３】
前記ガイドローラーユニットは、互いに前記左右方向とも前記上下方向とも直角である前後方向に沿って同軸に連結されている第１のガイドローラーと第２のガイドローラーとを有することを特徴とする請求項２に記載のブラインド。
【請求項４】
各前記案内装置は、更に前記第１のレールに取り付けられたローラーホルダーを有し、
前記ローラーホルダーは、前記左右方向に沿って延伸されると共に前記上下方向に立ち上がって延伸される２つの支え壁が設けられ、
前記第１のガイドローラーと前記第２のガイドローラーとは、前記支え壁の間に支持されるように前記ローラーホルダーに設けられていることを特徴とする請求項３に記載のブラインド。
【請求項５】
前記第１のガイドローラーは、２つの前記支え壁における一方の前記支え壁に突き出る第１の支軸が設けられ、前記第１の支軸の両端側から２つの第１のフランジが互いに所定の間隔をおいて前記前後方向沿いの軸方向に直角である径方向の外向きに環状に突き出て形成され、
前記第１の支軸は、前記第２のガイドローラーに向かって開放される差し孔が設けられ、
前記第２のガイドローラーは、２つの前記支え壁における他方の前記支え壁に突き出る第２の支軸が設けられ、前記第２の支軸の両端側から２つの第２のフランジが互いに所定の間隔をおいて前記第１の支軸の前記径方向の外向きに環状に突き出て形成され、
前記第２の支軸は、前記差し孔に挿入されるように前記軸方向に沿って延伸される差し部が設けられていることを特徴とする請求項４に記載のブラインド。
【請求項６】
各前記支え壁は、前記第１の支軸が回転可能に固定される受け孔が設けられ、
前記第１の支軸は、回転可能に前記一方の支え壁の前記受け孔に固定されるように設けられた第１の取付部を有し、
前記第２の支軸は、回転可能に前記他方の支え壁の前記受け孔に固定されるように設けられた第２の取付部を有することを特徴とする請求項５に記載のブラインド。
【請求項７】
前記第１のガイドローラーは、２つの前記支え壁の間に架設されている第１の支軸を有し、前記第１の支軸の両端側から２つの第１のフランジが互いに所定の間隔をおいて前記前後方向沿いの軸方向に直角である径方向の外向きに環状に突き出て形成され、
前記第２のガイドローラーは、前記第１の支軸を取り囲んで挿入する中空状の軸筒が形成され、前記軸筒の両端側から２つの第２のフランジが互いに所定の間隔をおいて前記径方向の外向きに環状に突き出て形成されていることを特徴とする請求項４に記載のブラインド。
【請求項８】
前記ガイドロッドは、前記第１のレールの前記前後方向に延伸されるように前記ローラーホルダーに取り付けられていることを特徴とする請求項４に記載のブラインド。
【請求項９】
前記第１のレールは、対応する前記引き部分を前記第１のレールから前記遮蔽部材側に通す位置決め孔が設けられ、
前記案内装置は更に、前記ローラーホルダーに設けられており、前記第１と第２のガイドローラーから前記引き部分を前記位置決め孔側に導くよう前記位置決め孔の外郭の一部に沿って画成された囲み部分を設けている囲みロッドを有することを特徴とする請求項８に記載のブラインド。
【請求項１０】
前記制御ユニットのそれぞれは、前記コードを巻き取るための２つの巻取りロールと、前記コードを引き上げるように付勢するよう前記巻取りロールに取り付けられている弾性リールとを含むことを特徴とする請求項９に記載のブラインド。
【発明の詳細な説明】
【技術分野】
【０００１】
本発明は、コードの巻取りにより遮蔽部材が重なったり一面に展開するように昇降するブラインドに関する。
【背景技術】
【０００２】
図６〜８は、従来の横型ブラインドの一例を示す。この横型ブラインド１は、図示の如く、例えば窓枠（図示せず）に取り付けられたトップレール１１と、トップレール１１に所定の間隔をおいてトップレール１１の横幅に沿う左右方向に平行に配置されているボトムレール１２と、トップレール１１とボトムレール１２との間に連結されて設けられた遮蔽部材１３と、遮蔽部材１３を重ねたり一面に展開するように制御する制御装置２と、トップレール１１に取り付けられた２つのガイドユニット１４とを備えている。
【０００３】
制御装置２は、図７に示されているように互いに噛み合うようにトップレール１１に設けられた２つの巻取りユニット２１と、４本のコード２２とを有する。各巻取りユニット２１は、互いに噛み合わさる２つの歯付きのギヤ部材２１１、２１１と、それぞれの一端部が対応するギヤ部材２１１、２１１に取り付けられたＳ字状の弾性リール２１２とを有する。ガイドユニット１４、１４は、図６、８に示されているように、制御装置２を挟んでトップレール１１の両端側に設けられており、トップレール１１に取り付けられたホルダー１４１と、ホルダー１４１に架設されている２本のガイドロッド１４２とを有する。各コード２２は対応するギヤ部材２１１に巻かれており、各巻取りユニット２１において２本のコード２２は互いに相対して対応するガイドユニット１４側に引き出される引き部分２２１、２２１を有する。各巻取りユニット２１において相対して引き出されている引き部分２２１、２２１は対応するガイドロッド１４２によって遮蔽部材側に案内されてボトムレール１２に連結されている。なお、弾性リール２１２は、遮蔽部材１３及びボトムレール１２の重量と対抗するようコード２２を巻き取る付勢力を与えるように設けられている。このように、従来のブラインド１を所定の高さに安定して定位可能に遮蔽部材１３を水平状態に昇降させるように操作することができる。
【先行技術文献】
【特許文献】
【０００４】
【特許文献１】台湾登録実用新案第３３８０３４号明細書
【発明の概要】
【発明が解決しようとする課題】
【０００５】
上記従来のようなブラインド１では、各コード２２の相対的な巻き運動によって遮蔽部材１３は水平状態で昇降することができるが、コード２２は対応するガイドロッド１４２に接触してからそのまま遮蔽部材１３側に通されているので、ガイドロッド１４２のコード２２に対する摩擦によってコード２２が円滑に滑り移動することができなくなるという問題点がある。また、各コード２２の引き部分２２１がバランスよく操作できないときは、遮蔽部材１３が水平状態を保ったまま昇降することができなくなる問題点がある。
【０００６】
本発明は、上記問題点を解決すべくなされたものであり、遮蔽部材が水平状態で円滑に昇降すべくコードを円滑に滑り移動可能に操作するブラインドを提供することを目的とする。
【課題を解決するための手段】
【０００７】
上記目的を達成するために、本発明に係るブラインドは、互いに離れると共にそれぞれの横幅に沿う方向である左右方向に平行に配置され、それぞれが前記左右方向に沿って長く延伸されている第１のレールと第２のレールと、前記左右方向と直角である上下方向に重なったり一面に展開するように昇降するよう前記第１のレールと前記第２のレールとの間に配置されている遮蔽部材と、前記遮蔽部材の昇降を制御するように前記第１のレールに取り付けられている制御装置であって、２本のコードと前記コードが巻き取られるように付勢する制御ユニットとを有し、各前記コードは前記第１のレールと前記遮蔽部材を通して前記第２のレールに連結されている引き部分を有する少なくとも１つの制御装置と、前記第１のレールに２つ設けられており、それぞれ、対応する前記コードの引き部分が巻き取られるガイドローラーユニットと、前記制御装置及び前記ガイドローラーユニットの間に設けられ、前記制御装置からの前記引き部分を前記ガイドローラーユニット側に導くガイドロッドとを有する２つの案内装置と、を備えていることを特徴とする。
【発明の効果】
【０００８】
本発明に係るブラインドは、制御装置及びガイドローラーユニットの間に設けられているガイドロッドと、対応するコードの引き部分が巻き取られるガイドローラーユニットを有するので、コードが制御ユニットによって引っ張られていると共に、ガイドロッドの下部、ガイドローラーユニットに安定して巻かれている状態で遮蔽部材側に案内される。従って、従来のブラインドにおいてコードが対応するガイドロッド１４２に接触しながらそのまま遮蔽部材１３側に通されることでコードを円滑に滑らせることができない問題点を解消することができ、遮蔽部材が水平状態を保ったままより一層円滑に昇降することができる。
【図面の簡単な説明】
【０００９】
【図１】本発明に係るブラインドの一実施の形態を示す斜視図である。
【図２】本発明に係るブライドの一部を切り欠いた上面図である。
【図３】本発明に係るブラインドの一部を切り欠いた正面図である。
【図４】案内装置の第１の実施形態の分解斜視図である。
【図５】案内装置の第２の実施形態の分解斜視図である。
【図６】従来のブラインドの一例を示す斜視図である。
【図７】従来の制御装置の一例を示す斜視図である。
【図８】従来のブラインドの一部を切り欠いた正面図である。
【発明を実施するための形態】
【００１０】
以下、本発明を好適な実施の形態をもとに図面を参照しながら説明する。各図面に示される同一または同等の構成要素には、同一の符号を付するものとし、重複した説明は適宜省略する。また、実施の形態は、発明を限定するものではなく例示であって、実施の形態に記述されるすべての特徴やその組み合わせは、必ずしも発明の本質的なものであるとは限らない。
【００１１】
（第１の実施形態）
本実施形態に係るブラインド３は、図１に示されているように、例えば横型ブラインドであり、第１のレール３１と、第２のレール３２と、遮蔽部材３３と、制御装置４と、案内装置５とを備えている。
【００１２】
第１のレール３１と第２レール３２とは、互いに離れると共にそれぞれの横幅に沿う方向である左右方向に平行に配置され、それぞれが左右方向に沿って長く延伸されている。なお、第１のレール３１は、この形態において、例えば窓枠に取り付けられるトップフレームとして、それぞれ遮蔽手段３３の横幅に沿う方向である左右方向に水平に長く延伸していると共に、左右方向と直角の前後方向に互いに間隔をおいて平行するように向かい合っている２つの側壁３１１、３１１と、各側壁３１１の長手の端同士を繋いでいる２つの端壁３１４、３１４と、各側壁３１１、各端壁３１４との間に上方開口を有する断面が略Ｕの字形をなす収容空間３００を画成している底壁３１２とを有する。また、底壁３１２には、対応する案内装置５に応じて所定の間隔をおいて離れた２つの位置決め孔３１３（図３参照）が左右方向とも前後方向とも直角である上下方向に沿って貫通するように形成されている。
【００１３】
第２のレール３２は、この形態において、例えばアルミ材料で第１のレール３１とほぼ同じ長さになされており、遮蔽部材３３に安定した張力を付与するウェイトバーとなる役割を有する。
【００１４】
遮蔽部材３３は、一面に展開可能に左右方向と直角に上下に移動するよう第１のレール３１と第２のレール３２との間に第１のレール３１の底壁３１２から吊り下げられるように設けられており、制御装置４によるコード巻き運動によってたくし上げられた時には第１のレール３１近くまで畳み上げられて、降ろされた時には折り畳み状態から解放されて展開されるように設けられている。なお、遮蔽部材３３は、例えば図１に示されているような、それぞれハニカム状に形成されたスラットが上下方向に繋ぎ合わされるように構成されてよく、その具体的な形状は本発明において限定されない。各スラットには位置決め孔３１３に応じて通孔３３１が設けられている。
【００１５】
制御装置４は、遮蔽部材３３の昇降を制御するように第１のレール３１に少なくとも１つ取り付けられているものであって、２本のコード４２とコード４２が巻き取られるように付勢する制御ユニット４１とを有する。各コード４２は、第１のレール３１と遮蔽部材３３を通して第２のレール３２に連結されている引き部分４２１を有する。
【００１６】
制御ユニット４１は、コード４２を巻き取るための２つの巻取りロール４１１と、コード４２を引き上げるように付勢するよう巻取りロール４１１に取り付けられている弾性リール４１２とを含む。
【００１７】
案内装置５は、図１と図２に示されているように、第１のレール３１に２つ設けられており、それぞれが、対応するコード４２の引き部分４２１が巻き取られるガイドローラーユニット５０と、制御装置４及びガイドローラーユニット５０の間に設けられ、制御装置４からの引き部分４２１をガイドローラーユニット５０側に導くガイドロッド５２とを有する。この形態において、案内装置５は更に位置決め孔３１３に対応して設けられた囲みロッド５３と、第１のレール３１に取り付けられたローラーホルダー５１とを有する。
【００１８】
ローラーホルダー５１は、底壁３１２に左右方向に沿って延伸されているベース壁５１１と、ベース壁５１１の前後方向の両端側より上下方向に立ち上がって互いに平行に延伸されている２つの支え壁５１３、５１３とが設けられている。ベース壁５１１には位置決め孔３１３に対応して定位孔５１１ａが形成されている。各支え壁５１３には上方に開放した受け孔５１４が形成されている。
【００１９】
ガイドロッド５２と囲みロッド５３は、ローラーホルダー５１に取り付けられている。ガイドロッド５２は、前後方向に沿って延伸されるようにベース壁５１１の左右方向の両側より立ち上がって設けられた側壁に取り付けられている。囲みロッド５３は、定位孔５１１ａ或いは位置決め孔３１３の外郭の一部に沿ってＵ字形に形成されており、コード４２の引き部分４２１を遮蔽部材３３側にガイドされるようにＵ字形に曲がった囲み部分５３１を有する。
【００２０】
ガイドローラーユニット５０は、２つの支え壁５１３、５１３の間に支持されるようにローラーホルダー５１に配置されており、互いに前後方向に沿って同軸に連結されている第１のガイドローラー５４と第２のガイドローラー５５とを有する。
【００２１】
第１のガイドローラー５４は、図４に示されているように、２つの支え壁５１３、５１３における一方の支え壁５１３に突き出るように固定されている第１の支軸５４１を有し、第１の支軸５４１の前後方向の両端側から第１のフランジ５４２、５４２が互いに所定の間隔をおいて第１の支軸５４１の前後方向沿いの軸方向と直角である径方向の外向きに環状に突き出て設けられている。
【００２２】
第１の支軸５４１は、第２のガイドローラー５５に向かって開放するように軸方向に沿って延伸された差し孔５４４と、対応する一方の支え壁５１３の受け孔５１４に差し込んで固定される第１の取付部５４３とを有する。
【００２３】
第２のガイドローラー５５は、第１のガイドローラー５４に回転可能に連結されており、２つの支え壁５１３、５１３における他方の支え壁に突き出るように固定されている第２の支軸５５１を有し、第２の支軸５５１の前後方向の両端側から第２のフランジ５５２、５５２が互いに所定の間隔をおいて第２の支軸５５１の径方向外向きに環状に突き出て設けられている。
【００２４】
第２の支軸５５１は、図２、図４に示されているように、他方の支え壁５１３に設けられた受け孔５１４に回転可能に差し込んで固定される第２の取付部５５３と、差し孔５４４に回転可能に挿入される差し部５５４とを有する。
【００２５】
次に、上記のような構成による本実施形態に係るブラインドの組立て及び作用、効果について説明する。
【００２６】
組み立てるとき、コード４２、４２の引き部分４２１、４２１をそれぞれ第１のレール３１の対向する両側に配置された第１のガイドローラー５４と第２のガイドローラー５５に対応して延ばすように引くと共に、対応するガイドロッド５２の下部と接触させる。そして、ガイドロッド５２の下部と接触しているコード４２、４２の引き部分４２１、４２１を続いて対応する第１のガイドローラー５４の第１の支軸５４１の表面と第２のガイドローラー５５の第２の支軸５５１の表面とのいずれかに巻いて通す。引き部分４２１、４２１は対応する囲みロッド５３によってガイドされ、位置決め孔３１３と通孔３３１とを通って、図１に示されているように、第２のレール３２に連結される。なお、  遮蔽部材３３と第２のレール３２との総重量が制御装置４の弾性リール４１２の復帰力とバランスがとれるように組立てが行われているので、第２のレール３２を引く又は上げることによって遮蔽部材３３を所定の高さに昇降させることができる。外部より操作しないときは、遮蔽部材３３が所定の高さに維持される。
【００２７】
遮蔽部材３３は、所定の位置に昇降されると、制御ユニット４１による引っ張りによって該所定の位置に留まる。また、コード４２はガイドロッド５２の下部及び第１のガイドローラー５４或いは第２のガイドローラー５５に安定して巻かれている。これによって、コード４２の引き部分４２１が対応するガイドロッド５２の上部表面と接触するのではなく対応するガイドロッド５２の下部表面と接触して対応する第１のガイドローラー５４或いは第２のガイドローラー５５に巻かれて遮蔽部材３３側に案内されて降ろされる。
【００２８】
このようにすると、コード４２はガイドロッド５２に通された後に対応する第１および第２のガイドローラーに案内されてから遮蔽部材３３側に通されているので、上述した従来のブラインドにおいてコード２２が対応するガイドロッド１４２に接触してからそのまま遮蔽部材１３側に通されることでいずれかのコードが円滑に滑ることができなくなって遮蔽部材が傾いてしまうという問題点を解消することができ、遮蔽部材３３が水平状態を保ったままで円滑に昇降することができる。
【００２９】
（第２の実施形態）
図５は、本発明に係る案内装置の第２の実施形態の分解斜視図である。この実施形態において、第１の実施形態と異なるところはガイドローラーユニット５０の構成であり、その他は同様である。
【００３０】
ガイドローラーユニット５０は、前後方向沿いに並んで連結されている第１のガイドローラー５４と第２のガイドローラー５５を有する。第１のガイドローラー５４は、２つの支え壁５１３における一方の支え壁５１３に取り付けられている第１の支軸５４１を有し、第１の支軸５４１の前後方向の両端側から第１のフランジ５４２、５４２が互いに所定の間隔をおいて第１の支軸５４１の前後方向沿いの軸方向と直角である径方向の外向きに環状に突き出て設けられている。
【００３１】
第２のガイドローラー５５は、第１の支軸５４１に挿通されるように前後方向に沿って形成された貫通孔５５５を有する中空状の軸筒が形成されており、貫通孔５５５の前後方向両端開口寄りの両端部より２つの第２のフランジ５５２、５５２が互いに所定の間隔をおいて径方向の外向きに環状に突き出て設けられている。
【００３２】
本実施形態において、コード４２の引き部分４２１が対応するガイドロッド５２の下部表面、第１のガイドローラー５４又は第２のガイドローラー５５、囲みロッド５３を巻いて通ることによって遮蔽部材３３側に案内される。従って、遮蔽部材３３が水平状態に円滑に昇降することができる。
【産業上の利用可能性】
【００３３】
本発明に係るブラインドは、遮蔽部材を上げて畳んだり下げて広げたりするブラインドに有用である。
【符号の説明】
【００３４】
３  ブラインド
３００  収容空間
３１  第１のレール
３１１  側壁
３１２  底壁
３１３  位置決め孔
３１４  端壁
３２  第２のレール
３３  遮蔽部材
３３１  通孔
４  制御装置
４１  制御ユニット
４１１  巻取りロール
４１２  弾性リール
４２  コード
４２１  引き部分
５  案内装置
５０  ガイドローラーユニット
５１  ローラーホルダー
５１１  ベース壁
５１１ａ  定位孔
５１３  支え壁
５１４  受け孔
５２  ガイドロッド
５３  囲みロッド
５３１  囲み部分
５４  第１のガイドローラー
５４１  第１の支軸
５４２  第１のフランジ
５４３  第１の取付部
５４４  差し孔
５５  第２のガイドローラー
５５１  第２の支軸
５５２  第２のフランジ
５５３  第２の取付部
５５４  差し部
【図１】
2014152603.tif 000003
【図２】
2014152603.tif 000004
【図３】
2014152603.tif 000005
【図４】
2014152603.tif 000006
【図５】
2014152603.tif 000007
【図６】
2014152603.tif 000008
【図７】
2014152603.tif 000009
【図８】
2014152603.tif 000010